(57)【要約】新規なタイプの無線通信サブスクリプションサービス及び関連方法を開示する。一部の実施態様においては、新規なサブスクリプションサービスは、eCallオンリーなMS又は他の適切な無線アクセス装置（NAD）によって使用されることができ、制限アクセスアンドモビリティマネジメント（RAMM）モードで運用されることができる。RAMMサービスは、一定の限定された種類のコールの活用を可能としつつ、ネットワークリソースの使用を制限する。該サービスは、例えば原動機付きビークルのeCallのために、或いはマシンからマシンへの通信若しくはリモートアラームのために用いられることができる。新規なサブスクリプションサービスは、プリペイド（USIM）サブスクリプションの不使用によってeCallオンリーなMSがネットワークアクセスを拒否される事態を回避するのに用いることができる。
2014527334.tif 000002
【特許請求の範囲】
【請求項１】
デジタル無線通信ネットワークにおいて使用するための方法であって、
各サブスクライバについてのサブスクライバプロファイル情報及びサブスクリプション情報を保持するためのホームロケーションレジスタ（HLR）データベースを提供するステップ（図１）と、
所与のサブスクライバについて、対応するHLRレコード内にて、制限アクセスアンドモビリティマネジメント（RAMM）サブスクリプションサービス（３０４）を示すステップであって、前記RAMMサブスクリプションサービスは原動機付きビークル（１０２）のネットワークアクセス装置（NAD）に関連づけられている、ステップと、
前記RAMMサブスクリプションサービスに関して現存のサブスクリプションを有するサブスクライバについて、既定のトリガイベントの発生まで、少なくとも前記ホームロケーションレジスタ（HLR）内に格納されている対応するサブスクライバプロファイル情報を、保持するステップ（図４）と
を備える方法。
【請求項２】
前記トリガイベントは、関連づけられている前記原動機付きビークルのエンドオフライフ（end of life）通知（３１８）からなる、請求項１に記載の方法。
【請求項３】
前記トリガイベントは、前記原動機付きビークルのネットワークアクセス装置（MS）の登録抹消（３１６）からなる、請求項１に記載の方法。
【請求項４】
前記トリガイベントは、前記RAMMサブスクリプションサービス以外のサブスクリプションサービスへの制限を伴わないアクセスを許可するように前記サブスクリプション情報を変更すること（３２０）からなる、請求項１に記載の方法。
【請求項５】
前記RAMMサブスクリプションサービスは、緊急番号以外へかけられる定期的なテスト及び再構成コールについて前記サブスクライバ又は第三者サービスプロバイダに課金するオプションを含む、請求項１に記載の方法。
【請求項６】
格納されている前記RAMMサブスクリプション情報は、RAMMサービス設定を含み、
RAMMモバイルステーション（MS）と前記ホームロケーションレジスタ（HLR）との間で、オーバーザエア（OTA）装置マネジメント手続を用いて、前記格納されているRAMMサービス設定を同期するステップ
をさらに備える請求項１に記載の方法。
【請求項７】
前記格納されているRAMMサービス設定は、前記RAMMサービスに加入しているeCallオンリーなモバイルステーション（MS）がモバイルネットワーク上で登録されたままでいることのできる最小及び最大の時間についての指定を含む、請求項６に記載の方法。
【請求項８】
前記RAMMサービス設定及びサブスクリプション詳細事項を、ビジテッドネットワークオペレータ及びローミングパートナーへ、送信するステップをさらに含む、請求項６に記載の方法。
【請求項９】
前記格納されているサブスクライバプロファイル情報は、前記原動機付きビークルのeCallシステムからPSAPへ送信される最小データセット（MSD）に含まれるべきものとして選定された情報を含む、請求項１に記載の方法。
【請求項１０】
前記ビークルは、前記ビークル内のクラッシュ検出システムと動作可能に接続された組み込みモバイルステーション（MS）を備えるeCallシステムを装備している、請求項１に記載の方法。
【請求項１１】
前記ビークルのeCallシステムは、ユーザのモバイルステーションを活用してeCall通信を提供するための、前記ユーザのモバイルステーションとの接続用ポートを含む、請求項１０に記載の方法。
【請求項１２】
前記ビークルのeCallシステムは、組み込みモバイルステーション（MS）を備え、
前記組み込みモバイルステーションのUSIM上で前記RAMMサービスをプロビジョニングするステップ
をさらに備える請求項１０に記載の方法。
【請求項１３】
前記USIM上で前記RAMMサービスをプロビジョニングするステップは、前記原動機付きビークルのeCallシステムからPSAPへ緊急事態の際に送信される最小データセット（MSD）に含まれるべき選定された情報を、前記USIM上に格納することを含む、請求項１２に記載の方法。
【請求項１４】
前記選定された情報は、ビークル識別番号（VIN）、ビークルの形式及びモデル、燃料タイプ、コンタクトMSISDN並びにサブスクライバについての緊急事態用（ICE）の詳細事項の少なくとも１つを含む、請求項１３に記載の方法。
【請求項１５】
起こり得る再送信又は前記PSAPによるリモートリードのために、eCall中に又はeCall後に、送信された前記MSDを、前記USIM上に格納するステップ
をさらに備える請求項１３に記載の方法。
【請求項１６】
デジタル無線通信ネットワークにおいて使用するための方法であって、
各サブスクライバについてのサブスクライバプロファイル情報及びサブスクリプション情報を保持するためのホームロケーションレジスタ（HLR）データベースを提供するステップと、
所与のサブスクライバについて、対応するHLRレコード内にて、制限アクセスアンドモビリティマネジメント（RAMM）サブスクリプションサービスを示すステップであって、前記RAMMサブスクリプションサービスはマシンのネットワークアクセス装置（MS）に関連づけられている、ステップと、
前記RAMMサブスクリプションサービスに関して現存のサブスクリプションを有するサブスクライバについて、既定のトリガイベントの発生まで、少なくとも前記ホームロケーションレジスタ（HLR）内に格納されている対応するサブスクライバプロファイル情報を、保持するステップと
を備える方法。
【請求項１７】
前記トリガイベントは、関連づけられている前記マシンのエンドオフライフ（end of life）通知からなる、請求項１６に記載の方法。
【請求項１８】
前記HLR内に格納されている前記情報は、
前記マシンの識別情報、及び
前記マシンに接続されたNADによってコールが開始された場合のための、通信を向けるべきICE連絡先の識別情報
を含む、請求項１６に記載の方法。
【発明の詳細な説明】
【技術分野】
【０００１】
本発明はデジタル無線通信に関するものであり、より具体的には、適切な緊急サービスを提供しつつ、制御可能な態様で、ネットワークリソースの利用及びモバイル機器からのネットワークリソースへのアクセスを制限するために多様な態様で組み合わせて使用することのできるシステム、ネットワーク、機器及び方法に関する。
【０００２】
［優先権］
本出願は、２０１１年７月２０日に出願された係属中の米国仮出願第61/509,834について優先権を主張するものであり、同仮出願は参照により援用される。
【背景技術】
【０００３】
「eCall」とは、公的安全応答ポイント（Public Safety Answering Point, PSAP）又は他の公認された緊急コールセンタへの、緊急音声コールであり、場合によっては事故関連データ又は事象関連データを補足的に伴う。eCallデータのセットは、ビークルの識別情報、地理的位置、移動方角及び事故又はクラッシュの被害者の位置を特定するために緊急サービスによって利用することのできる他の情報を含むことができ、これによって早期の医療的介入又は他の支援により多くの人命を救いまた怪我の重傷度を最小化することができる。
【０００４】
ETSI及び3GPP仕様において、eCall可能な移動局（mobile station, MS）又はユーザ機器（user equipment, UE）と称されるeCall無線ネットワークアクセス装置は、eCall的な及び非緊急な音声・データサービスの双方へのアクセスを有するように設計及び構成されることができる。或いはMSを「eCallオンリー」な緊急コール用に構成することができる。この文脈では、「eCallオンリー」は、後述される特定のテストコール及び再構成コールアクセスも許容する。
【０００５】
この文書では、「ビークル」との語は原動機駆動型のビークルを含むものとして用いられるが、これに限定されるわけではない。例えば、ビークルは自転車であることができる。さらに、「原動機駆動型」には内燃機関エンジン、ディーゼルエンジン、電気ビークル、ハイブリッド電気ビークル及び他のいかなる既存の若しくは後世発明されるロコモーションソースが含まれるが、これらに限定されるわけではない。この文書で用いられる頭字語の幾つかは次のように定義される：
IVSデータモデム  −  PSAPへMSD情報を送信するため及びPSAPからのフィードバックを受信するために用いられるIVS内に配置されるeCallデータモデム。
PLMN  −  公的陸上モバイルネットワーク（Public Land Mobile Network）
HLR  −  ホームロケーションレジスタ（Home Location Register）
MM  −  モビリティマネジメント（Mobility Management）
MSD  −  IVSからPSAPへ送信されるべき最小データセット（Minimum Set of Data）。これにはビークルの位置情報、移動の方角、シートベルトを締めている乗員の人数、ビークル情報及び緊急サービス機関にとって関連性のあるとされる他の情報が含まれる。
PSAP  −  公的安全応答ポイント（Public-Safety Answering Point）
PSAPデータモデム  −  IVSデータ送信機からのMSD情報を受信するため及びIVSへフィードバックを送信するために用いられるPSAP内に配置されるeCallデータモデム。
【発明の概要】
【０００６】
本発明の幾つかの側面についての基本的な理解を提供するための発明の概要を以下に記す。この概要は発明の主要／重大な要素を特定することを意図しておらず、また発明の範疇を画定することを意図しているわけではない。概要の唯一の目的は、後述する詳細な説明への導入として、単純化した態様で発明の幾つかの概念を提示することである。
【０００７】
一つの態様において、本発明の開示は、デジタル無線通信ネットワークにおいて使用するための方法であって、所与のサブスクライバについて、対応するHLRレコード内にて新規な制限アクセスアンドモビリティマネジメント（restricted access and mobility management, 「RAMM」）サブスクリプションサービスへの加入を示すステップ、を含む方法を提供する。RAMMサブスクリプションサービスは、原動機付きビークルのネットワークアクセス装置（NAD）又は他のモバイルステーション（MS）と関連づけられていることができる。
【０００８】
一つの設計においては、該方法は、RAMMサブスクリプションサービスに関して現存のサブスクリプションを有するサブスクライバについて既定のトリガイベントの発生まで少なくともホームロケーションレジスタHLR内に格納されている対応するサブスクライバプロファイル情報を保持するステップ、を含む。これにより、例えばプリペイドサブスクリプションの不使用期間による、サービスが拒否される事態（denial of service）を回避する。レコードをパージするためのトリガとし得るものには、関連づけられている原動機付きビークルのエンドオフライフ（end of life）通知又は関連づけられている原動機付きビークルのネットワークアクセス装置（MS）の登録抹消を含めることができる。
【０００９】
別の態様においては、制限アクセスアンドモビリティマネジメント（「RAMM」）サブスクリプションサービスは、マシン間通信のために活用することができ、例えばリモートマネジメントやアラームシステム等を実施するのに用いることができる。
【００１０】
本発明の更なる態様及び利点は、添付図面を参照する以下の好適実施例の詳細な説明から明らかとなる。
【図面の簡単な説明】
【００１１】
【図１】無線ネットワークへの無線アクセスを有する原動機付きビークルに関する実施態様を示す簡略化した機能図である。
【図２】組み込みモバイル無線アクセス装置が接続されている原動機付きビークル上のネットワークの一部の一例を示す図である。
【図３】ケーブル又は近距離非接触リンクにより原動機付きビークルに動作可能に接続されたユーザのモバイル無線装置の一例を示す図である。
【図４】制限アクセスアンドモビリティマネジメント（「RAMM」）サブスクリプションサービスの態様の一例を示す簡略化されたフローチャートである。
【図５】本願の開示に整合するMSの動作の一例を示す簡略化されたフローチャートである。
【図６】本願の開示に整合する制限アクセスアンドモビリティマネジメント（「RAMM」）サブスクリプションサービスを、住居又は事業所を保護するために又は商業的若しくは工業的な機器と対話するために活用することを示す簡略化したブロック図である。
【発明を実施するための形態】
【００１２】
図１は、無線ネットワーク実施態様１００を示す簡略化した機能図である。図中では、原動機付きビークル１０２は、無線アクセスネットワーク１１０を介して通信するためのオンボードネットワークアクセス装置（network access device, NAD）を有している。不図示ではあるが、ビークルは、例えばクラッシュ検出等の多種の機能性を提供するためのビークル内システム（in-vehicle system, IVS）を含むこともできる。さらに、IVSは、NADを介してリモートエンティティと通信し得る。例えば幾つかのベースステーション（不図示）からなるネットワークは、モバイルスイッチングセンタ（mobile, switching center, MSC）に接続されている。MSCはビジターロケーションレジスタ（visitor location register, VLR）を含み、詳細は把握されている。このMSCは、下方に示される「ホームネットワーク」に対しての「ビジテッドネットワーク」のために機能する。ホームネットワークには、ホームロケーションレジスタ（HLR）１２０が含まれる。
【００１３】
一般的に、ホームロケーションレジスタ（HLR）は、コアネットワークを使用することが許可されているモバイル電話サブスクライバの各々の詳細を含む中央データベースである。公的陸上モバイルネットワーク（Public Land Mobile Network, PLMN）毎に、複数の論理的・物理的HLRが存在することができる。もっとも、１つの国際モバイル サブスクライバ アイデンティティ（international mobile subscriber identity, (IMSI)とMSISDNのペアは、一度に１つの論理的HLR（これは複数の物理的ノードをスパンすることができる）のみに関連づけられることができる。
【００１４】
諸々のHLRは、モバイル電話オペレータにより発行されたSIM/USIMカードの全てについての詳細を格納している。各SIMは、IMSI（International Mobile Subscriber Identity, 国際モバイル サブスクライバ アイデンティティ）と呼ばれる固有の識別子を有しており、これは各HLRにおけるプライマリキーとなっている。SIMと関連づけられるもう一つの重要なデータアイテムとしてはMSISDNがあり、これはモバイル電話が通話を発したり受けたりするのに用いられる電話番号である。プライマリMSISDNは音声通話及びSMSを送受信するのに用いられる番号であるが、ファクシミリ及びデータ通信のための他のセカンダリMSISDNがSIMに関連づけられることも可能である。各MSISDNは、HLRレコードについてのプライマリキーでもある。（本明細書中で用いられる用語及び頭字語は、異なるネットワーク、テクノロジ又は技術仕様にて異なる場合がある。説明は例示的に過ぎない。無線の諸仕様において用いられる用語についての良い資料としては、3GPP TR 21.905がある。）
【００１５】
再び図１を参照するに、MSC１１２は、ルータ１１４に接続することができ、該ルータはコールをPSAP１１６へとルートする。MSCはコールをPSTNにルートすることもできる。好適には、PSAPサイトはPSAPデータモデム（不図示）を含む。モデムは、IVSデータ送信機からのMSD情報を受信するため及びIVSへフィードバックを送信するために用いられる帯域内信号方式のデータモデムを備えることができる。
【００１６】
次に図２を参照するに、本図は原動機付きビークルに搭載されたネットワーク２００の幾つかの部分を例示する。原動機付きビークルは、製造時に又は販売後に、搭載型の又は「組み込み型」の無線ネットワークアクセス装置又はモジュール（NAD）を装備していることができる。NADは、IVSの諸システムとの通信のための、ネットワーク２００へのインターフェースを有している。ビークルのネットワークの他の側面は、例示的に示されており、限定はされていない。
【００１７】
図示されている無線ネットワークアクセス装置（NAD）は、スマートフォンと同じようにUSIMチップ及びローカルメモリを有している。また、多くの「携帯電話」のように、RF送受信機やアンテナ等（不図示）をも有している。
【００１８】
一部の設計においては、NADはビークル（又はビークルのオペレータ）により、音声通話、盗難ビークルの追跡若しくは回収、交通や気象やその他の情報のダウンロード、緊急サービスの呼出し（eCall）等の多様な用途のために用いられることができる。一部の場合において、ビークルは、eCallオンリーな運用のために構成した組み込みNADを有することができる。eCallは、手動的に発信され或いは例えばバス２００を介してNADと通信するIVS内のクラッシュ検出システムによって自動的にトリガされることができる。
【００１９】
本願の開示は、組み込みNADに限定されない。例えば、ユーザの「携帯電話」や「スマートフォン」やそのようなものを用いてビークルに無線ネットワークアクセスを提供することができる。次に図３を参照するに、別の例を示してあり、この例においては、ユーザの携帯可能なモバイル無線装置は原動機付きビークルに接続されてビークルと相互運用できるようにしてある。例えば、ケーブル又はBluetooth（登録商標）等の近距離無線接続により、スマートフォンをヘッドユニットに接続することができる。一部の実施態様においては、接続したスマートフォンが、クラッシュ検出等の結果としてビークルにより自動的に開始された緊急コールのために、ネットワークアクセスを提供することができる。したがって、NADは広義に解して用い、組み込み型の、ハンドヘルド型の或いは他のモバイル型のMS（モバイルステーション）又はUE（ユーザエクィップメント）のいずれともと少なくとも同程度の範囲を持つものとする。
【００２０】
NADは、eCall並びに他の非緊急な音声及びデータサービスの双方にアクセスできるように設計及び構成されることができる。装置が「eCallオンリー」型の運用のために構成されている場合には、その運用には一定の制限を伴う。ネットワーク登録、ロケーション更新及びネットワーク登録解除等を含む大量の不必要なモビリティマネジメントシグナリングが、無線ネットワーク上で発生するのを回避するために、eCall「オンリー」なものとして構成されているネットワークアクセス装置の運用には一定の制限が課される。例えば、ビークルのNADについては、ビークルが正常に動作しており緊急事態が存していない限り、制限を課すべきである。現在の技術仕様では、次のように規定される：
【００２１】
即ち、「eCallオンリー」となるように構成されたMSは、（１）eCallを発信する場合及び（２）テストを行うため若しくはeCallをなせるMSの再構成を要請するためにSIM/USIM上に格納されたダイアル用固定番号の１つに呼びかける場合を除いて、モバイルネットワーク上に登録することを試みることを許されない。
【００２２】
モバイルネットワーク上に登録されている間、「eCallオンリー」なMSは、通常のモビリティマネジメントシグナリングを行う。MSは、例えばPSAP若しくは緊急サービスからのかけ直し等の着信コールを受信することができ、また、電話をかけることもできるが、発信先はUSIM上に格納されたダイアル用固定番号に限られる。eCall、テスト若しくは再構成についての通話の後、「eCallオンリー」となるように構成されたMSは、所定の期間内（現在は１２時間以内）に使用ネットワークから登録解除（離脱）しなければならない。
【００２３】
ネットワーク登録及び通話セットアップに要する時間を削減するために、「eCallオンリー」となるように構成されたUEは、パワーオンの後にネットワークスキャンを行って、いずれのネットワークに登録せずに利用可能なモバイルネットワークを特定することができる。「eCallオンリー」となるように構成されたMSが、MM IDLEモード（パワーオンはされているが、モバイルネットワークへの無線リソース（radio resource, RR）接続を有していない場合）にある場合、そのMSはMM IDLE sub-state eCall INACTIVE状態にあるという。
【００２４】
既刊の技術仕様は、該サブステートについて次のように説明する。
「eCallオンリー」なモバイルステーション（MS）のeCall INACTIVEステート及びUSIM情報については、3GPP TS24.008によると、次の通り：
eCALL INACTIVE（サブステート又はサービスステート）
有効なサブスクライバデータが利用可能であり、更新ステータスはU4であり、通常のサービスを提供できると見込まれるセル（cell）が選択されている。緊急サービス及びテスト／再構成用のコール［８］のみがモバイルステーションによって開始されることができる。このステートは、（USIMに設定されている情報に従って決定された）eCallオンリーなモバイルステーションにのみ適用される。MMアクティビティ及びMMシグナリングを回避するために、緊急コール又はテスト／再構成用のコールがない場合、モバイルステーションはこのステートに入る。’
eCallオンリーなMSに適用可能なUSIM設定を表１に示す：
【００２５】
【表１】
2014527334.tif 000003
【００２６】
ユーザサービステーブル（EFUST）に列挙されているサービスは、利用可能サービステーブル（EFEST）にて選択及び利用可能とされている。
【００２７】
eCallオンリーなモバイルステーション（MS）の再構成
一定の条件下では、eCallオンリーなMSを再構成して、ネットワークアクセス制限を取り除いて他のサブスクリプションサービスへのアクセスを許可することができる。eCallオンリーなモバイルステーション（MS）が非緊急な他のサービスにアクセスする機能を有する場合でありかつ他のサービスについての有効なサブスクリプションが存する場合、次のようにして、MSを再構成してネットワーク及びサービスについてのアクセス制限を取り除くことができる。
【００２８】
現在では、USIM設定を変更することによって、「eCallオンリー」なMSを再構成してネットワークアクセス制限を取り除くことができる。設定は、上記表１のものから下記表２のものに変更される：
【００２９】
【表２】
2014527334.tif 000004
【００３０】
USIM設定が表２に示すものに、例えばHMI（デバイスインターフェース）又はOTA（over the air）コマンドを介して、再設定されると、MSはもはや上述したTS24.008に規定されたeCall INACTIVEモードの諸手続を実行し続けることはできない。eCallオンリーなMSを、表２に即して再構成すると、ダイアル用番号（FDN）サービス＃２の選択が解除されてサービスダイアル番号（SDN）サービス＃４が利用可能とされる。表１と表２の双方に示すように、eCallデータ利用可能サービス＃８９は選択されたままである。
【００３１】
したがって、TS24.008において現在規定されているように、サービス＃２（FDN）が利用可能とされている場合、eCallMSは、パワーオン時並びにeCall、テストコール若しくは再構成コールの後に、eCall INACTIVEモードの諸手続を行う。代替的には、サービス＃４（SDN）が利用可能とされている場合、eCallオンリーなMSはeCall INACTIVEの諸手続を行わず、例えばTS24.008に規定されるタイマーの値（T3242及びT3243）等は無視される。eCallオンリーなMSを他のサブスクリプションサービスにアクセスできるように再構成した後に、モバイルステーションの所有者がダイアル用固定番号サービスを利用可能としたい場合、問題が生じる。なぜならば、MSが、自局が、前述したようにコールの前及びコールの後にeCallオンリー／eCall INACTIVE状態で動作すべきものと解釈する可能性があるからである。
【００３２】
新規なタイプの無線サービスを提案する。この新規なタイプの無線サービスを、制限アクセスアンドモビリティマネジメント（restricted access and mobility management, 「RAMM」）と呼び、これは一種の無線サブスクリプションサービスである。（名称は便宜上も受けられているにすぎない。この名称は決定的ではなく、また限定的なものでもない。）RAMMは、eCallオンリーなモバイルステーションの識別子と混同されるべきではない。むしろ、この新規なRAMMサブスクリプションサービスは、制限アクセスアンドモビリティマネジメントモードでの動作を行うために、eCallオンリーなMS又は例えばマシン−マシン装置やリモートアラームやスマートフォンや原動機付きビークルや他のME等の他の適切な無線装置によって利用されることができる。この新規なサービスは、従来技術の限界を回避するものであり、eCallを含みまたeCallを超える要求をも包摂する新規なアプリケーション及び実装を提供するものである。
【００３３】
１つの実施態様においては、新規なRAMMサブスクリプションサービスは、eCallを可能とするためには、eCall可能なMSが3GPP TS 22.101及びTS 24.008に規定されるeCallオンリーMS要件に準拠していることを必要とすることができる。
【００３４】
サブスクリプションサービスマネジメント及び非緊急なコールについての課金
プリペイド式サブスクリプションサービスとプリペイド式eCall「オンリー」サブスクリプションサービスとを区別及び管理するためのサブスクリプションサービス識別子は、今のところ存在しない。プリペイド式（USIM）サブスクリプションが数箇月（典型的には６箇月以上）使用されず、かつ、ネットワークオペレータがサブスクライバレコード及び他の情報をHLR / HSS及びVLRから抹消した場合、潜在的な問題がある。この場合、eCallオンリーなMSが有効なサブスクリプションをもはや有していないことを理由にモバイルネットワークへのアクセスが拒否されることがあり、人命を危険にさらす可能性を持つ結果を伴い得る。１つの実施態様においては、新規なRAMMサブスクリプションサービスは、この限界を回避する。
【００３５】
図４を参照するに、同図の簡略化したフローチャートは、RAMMサービスを具体化する１つの実施方法を示す。サブスクライバレコードがHLRにて初期化又は更新される。例えば、新品の原動機付きビークルの文脈においては、自動車製造者が、多くの台数からなる一群の自動車についてサービスをサブスクライブするためにモバイルキャリアと契約する場合がある。これは、単一のサブスクライバ（製造者）について行うことができ、その単一サブスクライバ下に多数の別個のサービスサブスクリプションがくる。代替的には、複数のサブスクライバを用いることができ、例えば、自動車モデル、製造若しくは販売の国又は他の基準毎に対応づけを行い得る。ブロック３０２を参照。どうであれ、各ビークルについて、適切な識別子に対して対応するサブスクリプションが準備されることになり、図１のようにしてビークルのNADにモバイルネットワークへのアクセスが付与されることになる。
【００３６】
説明のために、ここでは単一のビークルについて検討する。ビークルについてRAMMサービスサブスクリプションが確立される、ブロック３０４。例えばビークルの対応するVIN等のMSDデータの一定の静的要素を格納することができる。ブロック３０６参照。このデータは、一定の場合においては、パーシャルMSDにデータ追加（或いはクラッシュ前に行う事前データ追加）を行うために用いることができる。例えば所在地等の他のMSD情報データは、クラッシュ時に取得される。適宜に、サブスクリプション（HLRレコード）をビジターネットワークオペレーションに対して公開することができ、ブロック３０８、またローミングパートナーネットワークにも公開されることができる、ブロック３１０。
【００３７】
ここで、サブスクリプションがアクティブであると仮定する。一部の場合においては、後述のようにサービス設定によっては、ユーセッジモニタタイマー（usage monitor timer）を実装して対応するMEによるネットワークの利用を制限することができる、ブロック３１２に図示。サブスクリプションは、例えば１年間等の制限時間又は契約期間を有していることができる。期間が満了した場合、本願の開示を参考にすれば、レコード内の情報を削除するよりは保持したほうが有用であろう。サブスクリプションの満了後であっても、ビークルのNADが緊急eCallサービスのみについてアクセスを有するようにすることが有用である。
【００３８】
この観点からは、再び図４を参照するに、契約期間の満了時に、システムはMEが本当に登録抹消されたのかを決定する、決定３１６。そうであれば、サブスクライバレコードを削除することができる。さらに、システムはビークルのエンドオフライフ（end-of-life）条件について確認する。これは、ネットワークに多様な手段で通知することができる。例えば、ビークルの使用が中止されVINが廃止された場合、ビークル登録機関がキャリアにこれを通知する又は中央データベースを更新することができる。ビークルのエンドオフライフ決定３１８の指示に応じて、サブスクライバレコード３１９を再び削除することができる。さらに、サブスクリプションの満了時においては、システムは、RAMMを超える他のサービスを許可するようにサブスクリプションが修正されたか否かを確認する。そうであれば、対応するサブスクライバレコードは保持される。
【００３９】
制限アクセスアンドモビリティマネジメント（「RAMM」）サービスは、次の１以上の特徴により特徴付けられ得るが、これらには限られない。
【００４０】
モバイルネットワーク（HLR/HSS）にて格納されるサブスクライバプロファイル及びレコードは、サブスクリプションがキャンセルされるまでは削除されないのであり、例えばビークルのエンドオフライフ、ビークルの登録抹消、或いは他のサブスクリプションサービスへの無制限なアクセスを許可するようにサブスクリプションが修正された場合等までは削除されない。
【００４１】
緊急用ではない番号へかけられる定期的なテスト及び再構成コールについては、サブスクライバ又は第三者サービスプロバイダに対して課金が行われることができる。
【００４２】
オペレータにより決定されるRAMMサービスサブスクリプション設定は、標準的なオーバーザエア（over the air, OTA）デバイスマネジメント手続によって、eCallオンリーなMSとHLR/HSSとの間で同期することができる。
【００４３】
モバイルネットワークオペレータは、RAMMサービスにサブスクライブしているeCallオンリーなMSがモバイルネットワーク上で登録されていることのできる最小及び最大の時間を指定することができる。
【００４４】
RAMMサブスクリプションサービス及びサブスクライバ詳細事項は、ビジテッドネットワークオペレータ及びローミングパートナーに提供することができる。
【００４５】
ネットワークオペレータにより保持されるRAMMサブスクリプションサービスのサブスクライバ情報は、ビークルのeCallシステムからPSAPへと送信される最小データセット（Minimum Set of Data, MSD）に含まれる準恒久的な情報の幾つかを含むことができる。
【００４６】
USIM上で提供される場合のRAMMサブスクリプションサービスは、例えばビークル識別番号（vehicle identity number, VIN）、ビークルの形式及びモデル、燃料タイプ、コンタクトMSISDN並びにサブスクライバについての緊急事態用の（ICE）詳細事項等の最小データセット（Minimum Set of Data, MSD）に含まれる準恒久的な情報の幾つかを含むことができる。eCallが開始された場合、MSD情報要素にデータを追加するためにこの情報を用いることができる。
【００４７】
図５を参照するに、簡略化されたフローチャートが本願開示の１つの側面によるMSの幾つかのオペレーションを示す。示すように、eCall或いはテストコールの間又はそれらの後に、MSDのコピーをUSIM上に格納することができる。これは再送信又は必要であれば「リモートリード」を可能とするために用いることができる。リモートリードは、PSAP又は他の授権を受けた機関により行われることができる。
【００４８】
RAMM（及び無制限のeCallサービス）は、USIMからeCall関連の情報を取得すること又は装置上にこれを格納することを許すために必要な許可及び設定を含むことができ、これにはeCall若しくはテストコールの開始後に送信された若しくは送信されていないMSDに対するリードが含まれることができる。
【００４９】
一部の実施態様においては、RAMMサブスクリプションサービス（及び無制限のeCallサービス）は、USIM及びMEに格納されている情報を定期的に更新することができる。これには、標準化機関（CEN, ETSI, 3GPP）によってその時々に指定されるタイマー値等のeCallオンリーMSのオペレーティングパラメータ及び値への変更が含まれる。
【００５０】
ネットワークオペレータは、RAMMサービス（及び無制限のeCallサービス）の条件によって許容される場合には、ETSI TS 102 223及び他の仕様にて指定されるカードアプリケーションツールキット機能を活用することができ、これには3GPP TS 31.111のユニバーサルサブスクライバ識別モジュール（Universal Subscriber Identity Module, USIM）のアプリケーションツールキット（USAT）が含まれる。eCall可能なMSが対応している場合には、このような動作には同時的に最大で８つのデバイスタイマー（タイマー値を変更、アクティブ化、非アクティブ化、進行中のタイマーに対するリセット）を含めることができる。ネットワークは、eCall可能なMSに対して、音声又はデータ通信を開始するように要求することができ、これにはUSIM上に格納された番号又はアドレスへの（例えば、ダイアル用固定番号への若しくは、MSがサービス＃２（ダイアル用固定番号）を利用可能であったとしても、別の番号／アドレスへの）テスト用eCallが含まれる。
【００５１】
USIM上でRAMMサービスが「利用可能」であり、EFUSTにリストされており、EFESTで利用可能とされている場合、eCallオンリーなMSは好適には、ネットワークオペレータにより指定されるネットワーク及びサービスアクセス制限並びに関連する技術的仕様に規定される手続に従って動作する。
【００５２】
RAMMサービスについて上述したが、これに似た特徴を有するサブスクリプションサービスを、装置が通話の前又は後にモバイルネットワークに長時間登録している必要がないような、マシン−マシン用途及び他の無線装置の用途にも適用できる。
【００５３】
図６はこれら他のアプリケーションを示し、全ては本願発明の範囲及び観念に含まれるものである。本図中では、上述のような無線ネットワークが示されている。ここでは、住宅又はオフィス（又は任意の建物、場所、公園等）が煙若しくは火事を検知するシステム、侵入アラーム、又は他のタイプのアラーム又は通知システムを有する。システムはNADに接続されており、NADはHLR内のRAMMサブスクリプションに関連づけられている。一見すると、固定された物理位置について無線通信を用いる必要がないとも思える。しかし、保護すべき物理的位置にて、陸上の有線通信が利用可能でない又はリーズナブルな費用で提供されていない場合もあり得る。また、従来の無線サービスは高価であり、システムが殆どの場合「スタンドバイ」状態にある場面においては不必要といえる。もっとも、火事、侵入又は他の緊急事態においては、即時の無線アクセスが必要となる。本願にて開示するRAMMサービスは、このような用途のために活用及び構成されることができる。
【００５４】
図６を再び参照するに、他の用途としては、商業的又は工業的機器を含めることができ、これらも固定された物理的位置にあることができる。これらも無線ネットワークへのアクセスのためにNAD（不図示）に接続されることができる。他の実施態様においては、NADは携帯可能として、例えば現場等の機器の所在地移動させて、一時的に使用に供することができる。コールを開始することに用いるトリガイベントには、例えば機器の移動、温度、圧力又は他のイベント若しくは条件を含めることができる。
【００５５】
図中では、トリガがなされた時に、住居、オフィス、商業的施設、機器等が無線ネットワークに対してアクセスを行う。サブスクライバ情報及びサービス設定に応じてHLRに問い合わせて、様々な方法でコールのルーティングを行う。１つの設計では、コールはルータを跨いで緊急通知サーバへと向かう。サーバ所在地は有人型又は自動型とすることができる。トリガ条件、タイムスタンプ等のデータは、緊急通知サーバへ帯域内モデムを介して送ることができる。例えばサブスクライバデータベースクエリを用いる等して、任意の既定の連絡先へコールをかけるようにサーバを構成することができる。サーバは、PSTNを介して、eCall型のイベントと同様に、既定の「緊急時連絡先」（“in case of emergency”, ICE）番号へ、コールをかけることができる。コールは、ICE MEへ到達するために必要であれば、無線ネットワークを跨いでいく（この場合はビジテッドネットワーク）。
【００５６】
RAMMサービスについての幾つかの特徴及びオプションの概要を述べるに、サブスクリプションサービスプロファイルにはネットワークアクセス制限及びシグナリング制限を含めることもできる（キャラクタリゼーション）。これらには、定期的な所在地更新の頻度についての制限を含むことができる（装置が静止状態又は据え置き型の場合には、更新なしの場合もあり）。
【００５７】
一部の設計においては、eCallオンリー型装置の識別子を含む及び／又は活用する「制限型」RAMMサービスを用いることで、選択的アクセス遮断及びエンドオフライフマネジメントを支援することができる。
【００５８】
モバイルネットワークは、RAMMサービスを活用して、RAMMサービスサブスクライバの装置がネットワーク上で登録されている時間、eCall及び他のコールの開始及び終了時刻を監視することができ、この情報をモビリティマネジメント用途に用いることができる。１つの側面は図４の３１２に示す。これには、所定の時間の後に、IMSI離脱手続を開始させてeCallオンリーなMSをホームPLMN又はビジテッドPLMNから登録を抹消するように並びに／又はMM IDLE eCall INACTIVE状態若しくはeCallオンリーなサービスの規定に基づく他の状態に戻るように、eCallオンリーなMS対して指示することを含むことができる。
【００５９】
別の側面においては、eCall可能なMSは、サービングネットワークに登録する際にIMSI Attach及び／又はLocation手続を行う。サービングネットワークはこのイベントを、HLR/HSS内に格納されたサブスクリプション詳細情報と共に用いて、コールのタイプに従って、定期的所在地更新（periodic location updates, PLU）の時間間隔を増減することができる。例えば、eCallの後、eCall可能なMSに対して、PLUを１０分毎に行うように指示して、MSがネットワーク上に登録されたままであることを確認することができる。代替的には、PLUイベントとネットワーク側より開始されたIMSI離脱手続とを組み合わせてMSをネットワークから登録抹消することができる。この場合、eCall可能なMSは、eCall「オンリー」な運用のために設計されたMSである場合もそうでない場合もある。
【００６０】
本発明の基本原理から逸脱することなく、上述した実施例の細部に多くの変形を施し得ることは、当業者にとって明らかである。従って、本発明の範疇は特許請求の範囲のみにより決定されるべきである。
【図１】
2014527334.tif 000005
【図２】
2014527334.tif 000006
【図３】
2014527334.tif 000007
【図４】
2014527334.tif 000008
【図５】
2014527334.tif 000009
【図６】
2014527334.tif 000010
【国際調査報告】
2014527334.tif 000011
2014527334.tif 000012
2014527334.tif 000013